【手続補正書】
【提出日】令和3年6月10日(2021.6.10)
【手続補正１】
【補正対象書類名】特許請求の範囲
【補正対象項目名】全文
【補正方法】変更
【補正の内容】
【特許請求の範囲】
【請求項１】
舗装回復を処理するためのシステムであって、
回復材料の質量を測定するための計量装置と、回復寸法情報および回復材料情報を受け取り、回復材料の必要な質量を決定し、それによって前記回復の目標空隙含有量を提供するように適合された回復装置と、
前記回復装置は前記計量装置によって測定された前記質量の表示を受信するように必要に応じて適合され、前記表示は前記必要な質量を測定した前記計量装置の検証である、システム。
【請求項２】
前記回復寸法情報は長さおよび幅を含み、前記回復装置は、前記長さおよび幅から回復表面積を決定するように適合される、請求項１に記載のシステム。
【請求項３】
前記回復寸法情報は回復形状情報と１つ以上の寸法値とを含み、前記回復装置は、前記回復形状情報と前記１つ以上の寸法値とから回復表面積を決定するように適合され、好ましくは、前記回復形状情報は、形状リスト、ユーザ入力形状概略図、または写真からの形状選択の形態である、請求項１に記載のシステム。
【請求項４】
前記回復寸法情報は、１つ以上の深さ値を含み、好ましくは、前記回復装置は前記１つ以上の深さ値から代表深さ値を決定するように適合され、前記代表深さ値は平均深さ値または中央深さ値である、請求項１に記載のシステム。
【請求項５】
前記回復寸法情報は、深さプロファイル情報を含む、請求項４に記載のシステム。
【請求項６】
前記回復装置は、以下のうち１つ以上を決定するように適合される、すなわち、
前記回復装置は、回復体積を請求項２に記載の前記回復表面積から決定するように適合され、前記回復装置は、請求項４に記載の深さ値または代表深さ値を決定するように適合され、
好ましくは、前記回復装置は、回復体積を前記回復内に位置する項目にさらに依存して決定するように適合され、より好ましくは、前記項目は、蓋、ストップタップ、消火栓、計器ハウジングまたは排水ハウジングであり、
前記回復装置は、最大理論密度を前記回復材料情報から決定するように適合され、好ましくは、前記最大理論密度は、既知の最大理論密度の範囲からの代表的な最大理論密度であり、および／または、
前記回復装置は、前記回復の前記目標空隙含有量を前記回復材料情報から決定するように適合され、好ましくは、前記目標空隙含量は、許容される目標空隙含量の範囲からの代表的な目標空隙含量である、請求項１に記載のシステム。
【請求項７】
前記回復装置は請求項６に記載の前記回復体積から、必要に応じて請求項６に記載の前記目標空隙含有量から、および請求項６に記載の前記最大理論密度から、前記必要な回復材料の質量を決定する、請求項１に記載のシステム。
【請求項８】
前記回復装置は、さらに、以下のうち１つ以上を実行するように適合される、すなわち、
前記回復装置は、実際に使用された回復材料の質量を前記計量装置によって測定された質量に基づいて決定することを実行するように適合され、
好ましくは、前記回復装置は、前記計量装置によって測定された前記質量の未使用部分の表示を受信し、前記実際に使用された回復材料の質量をさらに前記未使用部分に基づいて決定することを実行するように適合され、
前記回復装置は、前記回復の推定された実際の空隙含有量を前記実際に使用された回復材料の質量に基づいて決定することを実行するように適合され、
好ましくは、前記回復装置は、前記推定された実際の空隙含有量が許容される目標空隙含有量の範囲内にあるかどうかの表示を提供することを実行するようにさらに適合され、
前記回復装置は、前記回復のためのリフト数を必要に応じて圧縮装置に応じて決定することを実行するように適合され、および／または、
前記回復装置は、前記必要な回復材料の質量を必要に応じて容器当たりの最大荷重に応じて回復材料の多数の荷重に分割することを実行するように適合される、請求項１に記載のシステム。
【請求項９】
前記回復は第１の材料の第１の層および第２の材料の第２の層を含み、前記回復装置は前記第１の層の第１の目標空隙含有量および前記第２の層の第２の目標空隙含有量を提供するために、必要な第１の回復材料の質量および必要な第２の回復材料の質量を決定するように適合され、好ましくは、前記第１の材料は結合剤材料であり、前記第２の材料は表面材料である、請求項１に記載のシステム。
【請求項１０】
前記回復装置は、前記回復に関連するさらなる情報を受信するようにさらに適合され、好ましくは、前記さらなる情報は、舗装タイプ、道路タイプ、歩道タイプ、回復場所、日付、時間、作業期間、気象条件、ユーザ識別、サイト情報、写真、圧縮装置、圧縮手順、回復材料の温度、サブベース材料、結合剤材料、表面材料、結合剤層の深さ、表面層の深さ、圧縮期間、圧縮振動周波数、および回復識別のうちの１つ以上に関係する、請求項１に記載のシステム。
【請求項１１】
前記回復装置および前記計量装置は前記計量装置によって測定された質量および／または前記必要な回復材料の質量の表示を送信するために、お互いに通信するための通信モジュールを含む、請求項１に記載のシステム。
【請求項１２】
回復材料の温度を測定するための温度計をさらに含み、前記回復装置が前記温度計によって測定された温度の表示を受信し、必要に応じて、前記表示が、必要な温度を測定した前記温度計の検証であり、好ましくは、前記回復装置および前記温度計は前記温度計によって測定された前記温度の前記表示を送信するために、お互いに通信するための通信モジュールを含む、請求項１に記載のシステム。
【請求項１３】
圧縮情報を測定するための圧縮測定システムをさらに含み、前記回復装置は前記圧縮測定システムによって測定された圧縮情報を受信し、必要に応じて、前記情報は、必要な圧縮を測定した前記圧縮測定システムの検証であり、前記回復装置および前記圧縮測定システムは、前記圧縮測定システムによって測定された前記圧縮情報を送信するために、お互いに通信するための通信モジュールを含む、請求項１に記載のシステム。
【請求項１４】
寸法情報を決定する測定装置をさらに含み、前記回復装置は、前記測定装置によって決定された寸法情報を受信し、好ましくは、前記回復装置および前記測定装置は、前記測定装置によって決定された前記寸法情報を送信するために、お互いに通信するための通信モジュールを含む、請求項１に記載のシステム。
【請求項１５】
前記回復を識別するための回復識別タグをさらに含み、好ましくは、前記回復識別タグは、前記回復に埋め込むためのＲＦＩＤタグである、請求項１に記載のシステム。
【請求項１６】
前記回復装置は、さらに、前記回復の記録をデータストアに送信するように適合されており、好ましくは、請求項１５に記載の回復識別タグは、前記記録内の前記回復の一意の識別子を提供する、請求項１に記載のシステム。
【請求項１７】
請求項１６に記載の前記回復の記録を受信するために適合されたデータストアをさらに含み、好ましくは、前記データストアは回復に関するクエリを受信し、前記記録に基づいて前記回復に関する情報を提供するように適合され、より好ましくは、前記システムは、前記データストアへの回復に関するクエリを提出し、前記回復に関する情報を受信するように適合された監査装置をさらに含む、請求項１に記載のシステム。
【請求項１８】
回復材料を受け取るための容器と、前記容器内に受け取られた回復材料の質量を測定するための計量装置とを備えるシステムであって、
必要に応じて、前記計量装置は、前記計量装置によって測定された前記質量の表示を提供するように適合され、
必要に応じて、前記計量装置は必要な回復材料の質量の表示を受け取るように適合され、
必要に応じて、前記計量装置は必要な質量の表示を受け取るために、および／または前記計量装置によって測定された前記質量の表示を提出するために、（必要に応じて、請求項１に記載の）回復装置と通信するための通信モジュールを含む、システム。
【請求項１９】
前記計量装置は前記容器に一体化されており、および／または前記容器は一輪車またはホットボックスである、請求項１８に記載のシステム。
【請求項２０】
舗装回復を処理する方法であって、回復の目標空隙含有量を提供するために、回復寸法情報および回復材料情報から必要な回復材料の質量を決定することを含む、方法。